(57)【特許請求の範囲】
【請求項１】
正面に位置する堰板(７)と、
該堰板(７)の両側に延設され、背面側へ直角に折り曲げられた一対の側板(１)と、
各側板(１)の背縁に延設され、内側に直角に折り曲げられた一対の背板(２)と、
各背板(２)の下部内側縁に延設され、正面側に直角に折り込まれた一対の滑出片(３)と、
前記堰板(７)の下縁に延設された下巻部(１０)の先縁に延設された差込板(４)と、
を備え、
各滑出片(３)と各背板(２)に切り込まれた受溝(８)に前記差込板(４)を差し込むことにより各滑出片(３)の折り込み状態が固定され、
前記堰板(７)よりも背面側であって前記側板(１)の正面縁上部に取り付けられたＰＲ板(１７)を更に備え、
前記ＰＲ板(１７)と前記背板(２)の間に商品を収納するための室を形成し、
上端の開口部から落とし込まれた商品が、前記背板(２)と前記ＰＲ板(１７)の内面に沿って前記室内を降下し、前記滑出片(３)の上縁である滑縁(５)によって正面に滑り出され、該滑縁(５)の正面に形成された止縁(６)により所定の位置で商品が塞き止められるように構成されていることを特徴とする滑り出し陳列箱。
【発明の詳細な説明】
【０００１】
【発明の属する技術分野】
本発明は、最下部の商品を引き抜く事で、上に重ねられた商品が下から順次斜め前に滑り出される機能を持った滑り出し箱に関する。
【０００２】
【従来の技術】
従来の滑り出し箱は、例えば特願平１１−０９９８１６号の滑り出し陳列箱で示す様に、外側板２の背縁に延設した厚み背板３の内縁に内側板４を延設して正面に折り込み、内側板４の正面縁に、しの字形状の滑縁６を形成し、上端から形成された前記滑縁６を商品が上から伝って正面に滑り出される構造の物であった。
【０００３】
【発明が解決しようとする課題】
従来の物は、内側板が上端まで達している事から、厚み背板の正面に無駄な空間を形成してしまい、前後の厚みを大きくする必要があった。本発明では、前記従来技術の問題解決をする為、背板正面(内面)の無駄な空間領域を省く事で、前後に薄くなった滑り出し箱の提供を目的とする。
【０００４】
【課題を解決するための手段】
上記目的を達成する為、側板の背縁に延設された背板の下部に延設された滑出片を正面に折り込んで差込板を差し込む事で固定し、背板の内面を伝って落ちて来た商品が、滑出片の上片に形成された斜辺の滑縁を伝って正面に滑り出される。
【０００５】
【発明の実施の形態】
本発明物は、厚紙或いは段ボール紙を素材に用いて製造し、正面背面(前後)上下(天地)左右などの位置関係は組立完了状態で正面からを基準にして表示し、山折谷折で記述する折曲げ方向は外側からを基準にして表示する。
【０００６】
組立過程背面下部部分斜視図の図１に於いて、堰板７の両側に延設して背方へ直角に折曲げた側板１の背縁に背板２を延設して内側へ直角に折曲げ、背板２の下部内側縁に山折線を介して延設した滑出片３を正面へ直角に折り込んで、滑出片３の正面縁は堰板７の内面に達している事が望ましく、滑出片３の上縁後部は正面を低くした傾斜縁で滑縁５を形成し、滑縁５は直線であっても湾曲線であっても良く、滑縁５の正面は適宜に跳ね上がった止縁６を形成し、滑出片３の後部と背板２とを同一切込線で受溝８を入れる事が望ましく、受溝８は滑出片３の下から切り込んでも良く、前記の受溝８に差込板４の先縁から切り込まれた切込９を差し込んで滑出片３の折り込み状態を固定し、差込板４は別個に設けても良いが、堰板７の下縁に山折線を介して延設した下巻部１０の先縁に山折線を介して延設する事が望ましく、下巻部１０の構成面は、差込板４を背部から水平に差し込む場合では堰板７の下縁に山折線を介して延設した底板１１の背縁に山折線を介して折上げ板１２を延設し、差込板４を下から差し込む場合での下巻部１０のの構成面は前記折上げ板１２を省いた底板１１だけと成り、差込板４だけの差込でも滑出片３の折り込み状態は固定できるのであるが、正面からの見た目を良くする目的から差込板４を隠す事と、滑出片３の固定を更に向上させる為に堰板７の中央を上から窪ませた凹部１６の底縁から山折線を介して延設した前折込板１３を背部に倒し、前折込片１３の両側先端から板の厚み分突出させた凸縁１４を滑出片３に打ち抜かれた受穴１５にハメ込んで前折込片１３を固定する事が望ましい。
【０００７】
組立完了背面下部部分斜視図の図２に於いて、持上げ板１２によって適宜な高さまで持上げられた差込板４を背部から水平(必要に応じては傾斜していても良い)な状態で受溝８に差し込む事で、受溝８の正面端が切込９と噛み合っているので滑出片３の折り込み状態を固定し、受穴１５に凸縁１４が嵌まり込んでいるので、前折込片１３の先端は固定され、前折込片１３は滑出片３基部の山折線箇所の折れ戻り防止する他、差込板４を正面から隠すので、正面からの見栄えを良くする。
【０００８】
組立完了背面全体斜視図の図３に於いて、背板２内側縁上部領域には何も延設されていない事から、上端の開口部から落とし込まれた商品は背板２とＰＲ板１７との内面を伝って落ちた後、背板２の内側縁下部に延設して正面に折り込まれた滑出片３の滑縁５を伝う事で商品は正面に滑り出され、止縁１４によって所定の位置に商品は塞き止められ、背板２の内側縁どうしは接していたり融合して一枚の平面であっても良いが、適度に間を開ける事で収納商品の残量を確認できる。
【０００９】
組立完了正面下部部分斜視図の図４に於いて、滑縁５と止縁６との角に滑り出された商品を、堰板７の中央を上から窪ませて形成した凹部１６に指を挿入する事で摘み上げ易くし、凹部１６の底縁から山折線を介して延設した前折込片１３によって差込板４の中央部は隠されているので、正面からの見た目を良くする他、前折込片１３に「ここから取り出してね」などの表示をする事で使用方法の説明ができる。
【００１０】
組立完了正面全体斜視図の図５に於いて、ＰＲ板１７は堰板７よりも背部に位置している事が望ましく、ＰＲ板１７は背板２との間に商品を収納する為の室を形成する役目の他、正面の広い面に印刷を施す事で陳列商品のＰＲをして購買意欲を向上させ、本発明物は、背部に支持板を取付けて据え置き型にしても良いが、ＰＲ板１７の上部に紐穴１８を開けて吊り下げて使用する事が望ましく、紐穴１８の開ける箇所は、側板１及び背板２の上部であっても良く、収納商品は限定ではないが、望ましい商品形状は小箱入り又は小袋入りであって、ガムやキャラメル、キャンディーの類に使用する事が望ましい。
【００１１】
【発明の効果】
背板の内側縁上部には何も延設していないので、上端の開口部から落とし込まれた商品は背板とＰＲ板との内面を伝って落ち、下に落ちた商品は、背板の内側縁下部に延設された滑出片上背縁に設けられた滑縁によって正面に滑り出された後、止縁で所定の位置に塞き止められるので、背板は内面に余分な空間部を形成しなくても商品はスムーズに正面へ滑り出され、前後幅を薄くできる。
【図面の簡単な説明】
【図１】組立過程背面下部部分斜視図
【図２】組立完了背面下部部分斜視図
【図３】組立完了背面全体斜視図
【図４】組立完了正面下部部分斜視図
【図５】組立完了正面全体斜視図
【符号の説明】
１  側板
２  背板
３  滑出片
４  差込板
５  滑縁
６  止縁
【図１】
0004400960.tif 000002
【図２】
0004400960.tif 000003
【図３】
0004400960.tif 000004
【図４】
0004400960.tif 000005
【図５】
0004400960.tif 000006